(57)【要約】      （修正有）【課題】被保持物のサイズが大幅に異なる場合でもこれらを安定に保持することができる保持装置を提供する。【解決手段】かかる保持装置は、所定の軸線Ｘを囲むアーム受け座２と、そこからそれぞれ軸線Ｘと直交する別々の径方向に延伸する上、軸線Ｘを回動軸として回動可能に配置構成され、且つそれぞれの延伸端に第１の保持部３２及び第２の保持部４２が前方に突き出るように設けられている第１のアーム３１及び第２のアーム４１と、アーム受け座２から上方に向かって延伸しその延伸端に第３の保持部５１が前方に突き出るように設けられている第３のアーム５と、を具える。第１と第２の保持部は、対応する第１または第２のアームの各延伸端の近くを通って軸線Ｘと平行する別々の軸線を回動軸として個別に回動可能に配置構成され、第１と第２と第３の保持部から被保持物を挟持できるように配置構成されている。【選択図】図１
0003185381.tif 000002
【実用新案登録請求の範囲】
【請求項１】
被保持物を保持するための保持装置であって、
前後方向に延伸する所定の軸線を囲むように設けられたアーム受け座と、
一端が前記アーム受け座と前後方向で重なり、他端がそこから前記軸線と直交する一の径方向に延伸する上、前記軸線を回動軸として前記アーム受け座の少なくとも下方で個別に回動可能になるように配置構成されており、且つその延伸端に第１の保持部が前方に向かって突き出るように設けられている第１のアームと、
一端が前記アーム受け座と前後方向で重なり、他端がそこから前記軸線と直交する他の径方向に延伸する上、前記軸線を回動軸として前記アーム受け座の少なくとも下方で個別に回動可能になるように配置構成されており、且つその延伸端に第２の保持部が前方に向かって突き出るように設けられている第２のアームと、
前記アーム受け座から上方に向かって延伸し、その延伸端に第３の保持部が前方に向かって突き出るように設けられている第３のアームと、を具えており、
前記第１の保持部は、前記第１のアームの延伸端の近くを通って前記軸線と平行する一の軸線を回動軸として個別に回動可能になるように配置構成されており、
前記第２の保持部は、前記第２のアームの延伸端の近くを通って前記軸線と平行する他の軸線を回動軸として個別に回動可能になるように配置構成されており、
且つ、前記第１の保持部と前記第２の保持部と前記第３の保持部とから前記被保持物を挟持できるように配置構成されている、ことを特徴とする保持装置。
【請求項２】
前記第１のアーム、前記第２のアーム及び前記第３のアームは、それぞれ前方に向かっている保持面を有し、当該三つの保持面はそれぞれの展開面がほぼ同一の面になっており共に後方から被保持物を支持することができるように配置されている、ことを特徴とする請求項１に記載の保持装置。
【請求項３】
前記第１のアームは、その前記一端側に設けられ且つ前記アーム受け座内に配置されている第１の摺動盤と、該第１の摺動盤から延伸している第１のアーム本体とを有しており、
前記第２のアームは、その前記一端側に設けられ且つ前記アーム受け座内に配置されているとともに前記第１の摺動盤と前後方向に重なっている第２の摺動盤と、該第２の摺動盤から延伸している第２のアーム本体とを有しており、
前記第１の保持部と前記第２の保持部は、それぞれ対応する前記第１のアーム本体および前記第２のアーム本体の延伸端に設けられている、ことを特徴とする請求項１または２に記載の保持装置。
【請求項４】
前記第１の保持部は、前記第１のアーム本体の延伸端から前方に折れ曲がって延伸している第１の底壁と、該第１のアーム本体と対面するように該第１の底壁の延伸端から前記軸線と直交する径方向に折れ曲がって延伸している第１の位置決め壁と、該第１のアーム本体の延伸方向に沿って前記第１の底壁を貫通している第１の位置決め開口とを有しており、
前記第２の保持部は、前記第２のアーム本体の延伸端から前方に折れ曲がって延伸している第２の底壁と、該第２のアーム本体と対面するように該第２の底壁の延伸端から前記軸線と直交する径方向に折れ曲がって延伸している第２の位置決め壁と、該第２のアーム本体の延伸方向に沿って前記第２の底壁を貫通している第２の位置決め開口とを有している、ことを特徴とする請求項３に記載の保持装置。
【請求項５】
前記第３のアームは、その延伸方向に沿って上下に伸縮可能になるように配置構成されている、ことを特徴とする請求項１〜４のいずれか一項に記載の保持装置。
【請求項６】
前記第３のアームは、前記アーム受け座を貫通するように且つ前記アーム受け座に対して上下方向に摺動可能に設けられているスライドバーと、該スライドバーに接触するように前記アーム受け座内に設けられている摺動止めブロックと、該スライドバーを間に挟んで該摺動止めブロックに螺接されていると共にその一部が前記アーム受け座より後方に突出している摺動止めつまみとを有しており、
前記第３の保持部は該スライドバーの上端に設けられている、ことを特徴とする請求項５に記載の保持装置。
【請求項７】
前記スライドバーには、その下端から上下方向に沿って切り込まれてスリットが形成されており、
前記摺動止めつまみは、後方から該スリットを介して前記摺動止めブロックに螺接されている、ことを特徴とする請求項６に記載の保持装置。
【請求項８】
前記第３の保持部は、前記スライドバーの上端から前方に折れ曲がって延伸している頂壁と、前記スライドバーと対面するように該頂壁の延伸端から下方に折れ曲がって延伸している上方位置決め壁とを有しており、
前記頂壁と前記上方位置決め壁と前記スライドバーとにより囲まれることでこれらの間に上方位置決め溝が画成されている、ことを特徴とする請求項６または７に記載の保持装置。
【請求項９】
前後方向に揺動できるように前記アーム受け座にヒンジ接続されている後方支持アームを更に具えている、ことを特徴とする請求項１〜８のいずれか一項に記載の保持装置。
【考案の詳細な説明】
【技術分野】
【０００１】
本考案は、保持装置に関し、特に携帯式電子機器などを保持するための装置に関するものである。
【背景技術】
【０００２】
携帯式電子機器、例えばタブレットコンピュータなどは、携帯時に保護手段としたり使用時に固定手段としたりするための保持装置と共に用いられることが多い。
【０００３】
特許文献１に示したのは、上記のような保持装置の一例である。該考案によれば、保持板の四角に保持手段である保持爪がそれぞれ突設されており、これら保持爪に電子機器の四角を嵌め込んで固定している。
【０００４】
しかしながら、上記のような保持装置では、各保持手段間の間隔が固定されているので、サイズが異なる電子機器に同一の保持装置を用いることができず、電子機器のサイズによって別々の保持装置を用いる必要があり、使用者にとって不便であった。また、保持手段の間隔と、保持したい電子機器のサイズとがぴったりでないと、両者の間に隙間ができることで電子機器ががたついたりして保持が不安定になるという問題点もあった。
【０００５】
そこで、本考案の考案者は、特許文献２に示した保持装置を考案した。該保持装置は、図７および図８に示されているように、概ね、軸線Ｙを囲むように設けられたアーム受け座１１と、それぞれアーム受け座１１から下方に延伸するように設けられた第１のアーム１２および第２のアーム１３と、アーム受け座１１から上方に延伸するように設けられた第３のアーム１４とを有している。
【０００６】
第１のアーム１２および第２のアーム１３は、それぞれ軸線Ｙを回動軸として回動できるように配置構成されており、またそれらの先端には、各該先端から前方に突き出るようにそれぞれ対応する第１の保持部１２１および第２の保持部１３１が設けられている。
【０００７】
第３のアーム１４は、アーム受け座１１に対して上下摺動できるように配置構成されており、その先端には、該先端から前方に突き出るように第３の保持部１４１が設けられている。
【０００８】
このような構成により、上記保持装置は、第１と第２のアーム１２、１３を回動して第１と第２の保持部１２１、１３１をアーム受け座１１の下方に適切な間隔が空くようにおくことで被保持物を下から保持することができる上に、第３のアーム１４を伸縮調整して第３の保持部１４１を上から、第１と第２の保持部１２１、１３１を下から被保持物を挟むようにさせることで被保持物を固定保持することができる。
【先行技術文献】
【特許文献】
【０００９】
【特許文献１】台湾登録実用新案Ｍ４２８６９４号公報
【特許文献２】実用新案出願第２０１３−９２８号明細書
【考案の概要】
【考案が解決しようとする課題】
【００１０】
しかしながら、上記のような保持装置では、第１と第２のアーム１２、１３の回動角度によって第１と第２の保持部１２１、１３１の被保持物に対する角度が変わってしまう。そこで、例えば被保持物が比較的大型の場合、第１と第２の保持部１２１、１３１同士の間隔を大きくあけることになるが、これにより第１と第２の保持部１２１、１３１が被保持物に対して大きく傾き、保持が不安定になりうる。このように、上記従来の保持装置にはまだ改良すべき点が残されていた。
【００１１】
本考案は、上記事情に鑑みて、既有の考案に更なる改良を加えてなされたものであり、その目的は、被保持物のサイズが大幅に異なる場合でも、支障なくこれらを安定に保持することができる保持装置を提供することにある。
【課題を解決するための手段】
【００１２】
上記目的を達成するために、本考案は、被保持物を保持するための装置となる以下の手段を提供する。
【００１３】
即ち、前後方向に延伸する所定の軸線を囲むように設けられたアーム受け座と；一端が前記アーム受け座と前後方向で重なり、他端がそこから前記軸線と直交する一の径方向に延伸する上、前記軸線を回動軸として前記アーム受け座の少なくとも下方で個別に回動可能になるように配置構成されており、且つその延伸端に第１の保持部が前方に向かって突き出るように設けられている第１のアームと；一端が前記アーム受け座と前後方向で重なり、他端がそこから前記軸線と直交する他の径方向に延伸する上、前記軸線を回動軸として前記アーム受け座の少なくとも下方で個別に回動可能になるように配置構成されており、且つその延伸端に第２の保持部が前方に向かって突き出るように設けられている第２のアームと；前記アーム受け座から上方に向かって延伸し、その延伸端に第３の保持部が前方に向かって突き出るように設けられている第３のアームと；を具えており、前記第１の保持部は、前記第１のアームの延伸端の近くを通って前記軸線と平行する一の軸線を回動軸として個別に回動可能になるように配置構成されており、前記第２の保持部は、前記第２のアームの延伸端の近くを通って前記軸線と平行する他の軸線を回動軸として個別に回動可能になるように配置構成されており、且つ、前記第１の保持部と前記第２の保持部と前記第３の保持部とから前記被保持物を挟持できるように配置構成されていることを特徴とする保持装置を提供する。
【００１４】
上記保持装置においては、前記第１のアーム、前記第２のアーム及び前記第３のアームは、それぞれ前方に向かっている（つまり被保持物に面する）保持面を有し、当該三つの保持面はそれぞれの展開面がほぼ同一の面になっており、共に後方から被保持物を支持することができるように配置されていることが好ましい。
【考案の効果】
【００１５】
上記構成によれば、第１の保持部と第２の保持部がそれぞれ第１のアームおよび第２のアームの回動軸と平行する軸線を回動軸として個別に回動できるように配置構成されているので、第１と第２の保持部をそれぞれ回動させて各保持部間の間隔および各保持部の被保持物に対する角度を調整することで、適応できる被保持物のサイズの範囲が従来の保持装置よりも更に大きく、尚且つ、例えば被保持物が比較的大型のものである場合にも、支障なくこれらを安定に保持することが可能である。
【図面の簡単な説明】
【００１６】
【図１】本考案の好ましい実施形態に係る保持装置が被保持物を保持している一態様を示す斜視図である。
【図２】本考案の好ましい実施形態に係る保持装置を示す背面図である。
【図３】本考案の好ましい実施形態に係る保持装置が被保持物を保持している一態様を示す斜視図である。
【図４】本考案の好ましい実施形態に係る保持装置を示す背面図である。
【図５】本考案の好ましい実施形態に係る保持装置において第１と第２の保持部の一態様を示す正面図である。
【図６】本考案の好ましい実施形態に係る保持装置において第１と第２の保持部の一態様を示す正面図である。
【図７】特許文献２に係る保持装置を示す分解斜視図である。
【図８】特許文献２に係る保持装置を示す組み立て斜視図である。
【考案を実施するための形態】
【００１７】
以下、添付した図面を参照しながら、本考案の具体的な実施形態を詳細に説明する。
【００１８】
図１には本考案の好ましい実施形態に係る保持装置が比較的小型の被保持物９（例えば携帯電話）を保持している態様が示されており、図２には図１における保持装置を背面から見た態様が示されている。
【００１９】
本考案に係る保持装置は、アーム受け座２と、被保持物９を保持するためにそこからそれぞれ伸びている３本のアーム、つまり第１のアーム３１と第２のアーム４１と第３のアーム５と、後方支持アーム６とを有している。
【００２０】
アーム受け座２は、前後方向に延伸する所定の軸線Ｘを囲むように設けられている。
【００２１】
第１のアーム３１は、その一端がアーム受け座２と前後方向で重なり他端がそこから軸線Ｘと直交する一の径方向（図示では略下方向）に向かって延伸する上、軸線Ｘを回動軸としてアーム受け座２の少なくとも下方で、例えば図１の位置と図３の位置との間で、個別に回動可能になるように配置構成されている。
【００２２】
本実施形態では、第１のアーム３１は上記一端側に設けられ且つアーム受け座２内に配置されている円盤状の第１の摺動盤３１１と、この第１の摺動盤３１１から上記右下側へ延伸している第１のアーム本体３１２とからなっており、その延伸端に被保持物を支えるための第１の保持部３２が前方に向かって突き出るように設けられている。
【００２３】
第１の保持部３２は、第１のアーム本体３１２の延伸端の近くを通ると共に軸線Ｘと平行する一つの軸線を回動軸として、例えば図５および図６に示した回動範囲で、個別に回動可能になるように配置構成されている。また、このように配置構成するために本実施形態では第１の保持部３２を第１のアーム本体３１２の延伸端にヒンジ接続した。
【００２４】
第１の保持部３２は、その具体的な構成として、第１のアーム本体３１２の延伸端から前方に向かって折れ曲がって延伸している第１の底壁３２３と、第１のアーム本体３１２と対面するように第１の底壁３２３の延伸端から軸線Ｘと直交する径方向（図示では略上方向）に折れ曲がって前記軸線Ｘの方へ延伸している第１の位置決め壁３２１と、第１のアーム本体３１２の延伸方向に沿って第１の底壁３２３を貫通している第１の位置決め開口３２２とを有している。
【００２５】
第２のアーム４１の構造は上述した第１のアーム３１のそれと類似しており、その一端がアーム受け座２及び第１のアーム３１の上記一端と前後方向で重なり他端がそこから軸線Ｘと直交する他の径方向に向かって延伸する上、軸線Ｘを回動軸としてアーム受け座２の少なくとも下方で、例えば図１の位置と図３の位置との間で、個別に回動可能になるように配置構成されている。
【００２６】
本実施形態では、第２のアーム４１は上記一端側に設けられ且つアーム受け座２内に配置されている円盤状の第２の摺動盤４１１と、この第２の摺動盤４１１から上記左下側へ延伸している第２のアーム本体４１２とからなっており、その延伸端に被保持物を支えるための第２の保持部４２が前方に向かって突き出るように設けられている。
【００２７】
第２の保持部４２は、第１の保持部３２と同様に、第２のアーム本体４１２の延伸端の近くを通ると共に軸線Ｘと平行する一つの軸線を回動軸として、例えば図５および図６に示した回動範囲で、個別に回動可能になるように配置構成されている。また、このように配置構成するために本実施形態では第２の保持部４２を第２のアーム本体４１２の延伸端にヒンジ接続した。
【００２８】
第２の保持部４２は、その具体的な構成として、第２のアーム本体４１２の延伸端から前方に向かって折れ曲がって延伸している第２の底壁４２３と、第２のアーム本体４１２と対面するように第２の底壁４２３の延伸端から軸線Ｘと直交する径方向（図示では略上方向）に折れ曲がって前記軸線Ｘの方へ延伸している第２の位置決め壁４２１と、第２のアーム本体４１２の延伸方向に沿って第２の底壁４２３を貫通している第２の位置決め開口４２２とを有している。
【００２９】
上記の構成により、第１と第２のアーム３１、４１を回動して各アームの先端に設けられている第１と第２の保持部３２、４２をアーム受け座２の下方で被保持物９の幅に対応した適切な間隔が空くようにおくことで、被保持物９を下から保持することができる。
【００３０】
つまり、第１と第２のアーム３１、４１を回動して第１と第２の保持部３２、４２の間隔を変えることで、保持したい被保持物９の幅がそれぞれ異なっても下から支障なく保持することができる。更に、被保持物９の下側の左右の角部をそれぞれ第１と第２の位置決め開口３２２、４２２に嵌め入れることで、被保持物９をより安定して保持することができる（図１及び図３参照）。
【００３１】
また、上記構成において、第１のアーム３１の第１の摺動盤３１１と、第２のアーム４１の第２の摺動盤４１１とは、それぞれアーム受け座２内で互いに回転摺動できるように共に所定の軸線Ｘを中心に前後方向に重なっている。
【００３２】
第３のアーム５は、アーム受け座２から上方に向かって延伸している上、例えば図１と図３、並びに図２と図４にそれぞれ対比して示されているように、その延伸方向に沿って伸縮可能になるように配置構成されている。
【００３３】
本実施形態において、第３のアーム５は、アーム受け座２を貫通するように且つアーム受け座２に対して上下方向に摺動可能に設けられているスライドバー５２と、第３のアーム５の延伸端、つまりスライドバー５２の上端に前方に向かって突き出るように設けられている第３の保持部５１とを有している。
【００３４】
第３の保持部５１は、スライドバー５２の上端から前方に折れ曲がって延伸している頂壁５１３と、スライドバー５２と対面するように頂壁５１３の延伸端から下方に折れ曲がって延伸している上方位置決め壁５１１とを有している。また、これら上方位置決め壁５１１、頂壁５１３、スライドバー５２の一部により囲まれることでこれらの間に上方位置決め溝５１２が画成されている。
【００３５】
なお、本実施形態においては、第１のアーム３１、第２のアーム４１及び第３のアーム３は、それぞれ前方に向かっている保持面を有しており、後方から安定して被保持物を支持できるように、それぞれの保持面はそれらの展開面がほぼ同一の面になっている。これにより、第１の保持部３２、第２の保持部４２および第３の保持部５１は、軸線Ｘと直交する方向から見た場合において略一直線上に配置されるようになっている。
【００３６】
また、本実施形態においては、第３のアーム５は更に、スライドバー５２に前方から接触するようにアーム受け座２内に設けられている摺動止めブロック５３（図３参照）と、スライドバー５２を間に挟んで摺動止めブロック５３に螺接されていると共に、外部から操作されやすくなるようにその一部がアーム受け座２より後方に突出している摺動止めつまみ５４（図４参照）とを有している。
【００３７】
スライドバー５２は、その下端から上下方向に沿って切り込まれるように設けられたスリット５２１を有しており、摺動止めつまみ５４はこのスリット５２１を介して摺動止めブロック５３に螺接されている。
【００３８】
これにより、摺動止めつまみ５４を摺動止めブロック５３との螺入が深くなることで両者の間隔が狭まる方向に回転させると、スライドバー５２がこれらの間に挟まれて固定される。逆に摺動止めつまみ５４を摺動止めブロック５３との螺入が浅くなることで両者の間隔が離れる方向に回転させると、挟止が解除されスライドバー５２は再び摺動できるようになる。
【００３９】
後方支持アーム６は、前後方向に揺動できるようにアーム受け座２にヒンジ接続されている。例えば被保持物を卓上に立たせて使用したい時は、後方支持アーム６の位置を後方に調節することにより保持装置を立たせることができる。
【００４０】
上記の構成により、例えば図１および図３に対比して示されているように、第３のアーム５を上下方向に伸縮調整して第３の保持部５１により上から、一方、第１と第２の保持部３３、４４により下から被保持物９を挟み込むようにさせることで、被保持物９を固定保持することができる。更に、被保持物９の高さに対応するように第３のアーム５の伸縮を調整して被保持物９の上部を上方位置決め溝５１２に嵌め込むことにより、高さが異なる被保持物でも支障なく保持することができる。
【００４１】
加えて、上述のように、例えば図５および図６に対比して示されているように、第１の保持部３２が第１のアーム３１における延伸端の近くに対して、また、第２の保持部４２が第２のアーム４１における延伸端の近くに対してそれぞれ個別に回動できるように配置構成されているので、各保持部間の間隔を第１と第２の保持部３２、４２のそれぞれの回動により調整することで、適応できる被保持物のサイズの範囲が従来の保持装置よりも更に大きく、尚且つ、例えば被保持物９が比較的大型のものである場合にも、被保持物９の角部が第１と第２の保持部３２、４２における第１と第２の位置決め開口３２２、４２２にちょうど嵌り込むような角度に調整できる。これにより、被保持物９のサイズが大幅に異なる場合でも、支障なくこれらを安定に保持することが可能である。
【００４２】
以上、本考案の好ましい実施形態を説明したが、本考案はこれに限定されるものではなく、その要旨を逸脱しない範囲で種々変更可能であることはいうまでもない。
【符号の説明】
【００４３】
９  被保持物
２  アーム受け座
３１  第１のアーム
３１１  第１の摺動盤
３１２  第１のアーム本体
３２  第１の保持部
３２１  第１の位置決め壁
３２２  第１の位置決め開口
３２３  第１の底壁
４１  第２のアーム
４１１  第２の摺動盤
４１２  第２のアーム本体
４２  第２の保持部
４２１  第２の位置決め壁
４２２  第２の位置決め開口
４２３  第２の底壁
５  第３のアーム
５１  第３の保持部
５１１  上方位置決め壁
５１２  上方位置決め溝
５１３  頂壁
５２  スライドバー
５２１  スリット
５３  摺動止めブロック
５４  摺動止めつまみ
６  後方支持アーム
【図１】
0003185381.tif 000003
【図２】
0003185381.tif 000004
【図３】
0003185381.tif 000005
【図４】
0003185381.tif 000006
【図５】
0003185381.tif 000007
【図６】
0003185381.tif 000008
【図７】
0003185381.tif 000009
【図８】
0003185381.tif 000010